(57)【要約】両側に一定の深さで設けられた溝（３）内の係止具（４）によって携帯電話に対して着脱できるように、本体から突出した形状に構成された携帯電話の連結端子（２）と、前記係止具（４）と一体に形成され、ユーザが手で調整することが可能な調整部（５）と、両側にボルト挿入孔（７）を有し、ボルト（６）によって結合する上、下部蓋（１３、１４）とを含んでなる携帯電話の充電用コネクタ（１００）において、充電によって携帯電話の充電電圧が上昇するにつれて段階別に変色する四角形の発光素子（１）を外部から視覚的に確認できるように、ほぼ中央部位に前記コネクタ（１００）を配置したことを特徴とする。
2005536025.tif 000002
【特許請求の範囲】
【請求項１】
両側に一定の深さで設けられた溝内の係止具によって携帯電話に対して着脱できるように、本体から突出した形状に構成された携帯電話の連結端子と、前記係止具と一体に形成され、ユーザが手で調整することが可能な調整部と、両側にボルト挿入孔を有し、ボルトによって結合する上、下部蓋とを含んでなる携帯電話の充電用コネクタにおいて、
充電によって携帯電話の充電電圧が上昇するにつれて初期には黄色、充電時には赤色、最終的に充電が完了した時には緑色を呈するように段階別に変色する発光素子を外部から視覚的に確認できるように、前記コネクタをほぼ中央部位に配置したことを特徴とする、移動通信機の充電用コネクタ。
【請求項２】
前記発光素子は、ピンによって携帯電話と電気的に連結されるプリント回路基板上に配置されることを特徴とする、請求項１に記載の移動通信機の充電用コネクタ。
【請求項３】
前記発光素子に対応する前記上部蓋の所定の部分にホールが設けられ、このホールに超音波または熱融着によって透視窓が固定されることを特徴とする、請求項１に記載の移動通信機の充電用コネクタ。
【発明の詳細な説明】
【技術分野】
【０００１】
本発明は、移動通信用端末機（例えば、携帯電話）の充電状態が発光素子の変色によって便利に確認できるようにした、移動通信機の充電用コネクタに関するものである。
【０００２】
また、本発明は、移動通信用端末機の充電用コネクタの発光素子を透視窓でカバーして保護及び視覚的効果の増大を可能とした充電用コネクタに関するものである。
【背景技術】
【０００３】
最近、急激な補給の趨勢を示している携帯電話を充電する場合、外部から供給される商用交流電圧を直流電源に変換するアダプタと携帯電話との間に介在し、携帯電話に充電電圧を供給するコネクタが用いられている。
【０００４】
ところが、従来のコネクタは、単にアダプタから携帯電話へ充電電圧を供給する通路の役割をするだけであって、例えばコネクタ自体に欠陥が発生して携帯電話が碌に充電されない場合、これを認知することが可能な機能を持っていないので、実用性が足りないという欠点があった。
【０００５】
ちなみに、従来の充電用コネクタは、携帯電話の充電状態の確認を可能とする発光素子が外部に突出した形で固定されているので、破損の危険性があった。
【発明の開示】
【発明が解決しようとする課題】
【０００６】
そこで、本発明はこのような従来のコネクタの問題点に鑑みてなされたもので、その目的とするところは、携帯電話の充電電圧が上昇するにつれて段階別に変色する発光素子によって携帯電話の充電状態が便利に認識できるようにした、移動通信端末機の充電用コネクタを提供することにある。
【０００７】
本発明の他の目的は、充電状態確認用発光素子を透視窓でカバーして発光素子の破損を防止することができるようにした充電用コネクタを提供することである。
【課題を解決するための手段】
【０００８】
上記課題を解決するために、本発明によれば、両側に一定の深さで設けられた溝内の係止具によって携帯電話に対して着脱できるように、本体から突出した形状に構成された携帯電話の連結端子と、前記係止具と一体に形成され、ユーザが手で調整することが可能な調整部と、両側にボルト挿入孔を有し、ボルトによって結合する上、下部蓋とを含んでなる携帯電話の充電用コネクタにおいて、充電によって携帯電話の充電電圧が上昇するにつれて段階別に変色する四角形の発光素子を外部から視覚的に確認できるように、前記コネクタを内部の中央部位に配置したことを特徴とする、移動通信機の充電用コネクタが提供される。
【０００９】
また、前記発光素子は、ピンによって携帯電話と電気的に連結されるプリント回路基板上に配置され、充電電圧が上昇するにつれて赤色、緑色に変化するように構成され、初期には黄色、充電時には赤色、最終的に充電が完了した時には緑色を呈するように構成されたことを特徴とする。
【００１０】
また、前記発光素子に対応する前記上部蓋の所定の部分にホールが設けられ、このホールに超音波または熱融着によって透視窓が固定されることを特徴とする。
【発明の効果】
【００１１】
本発明のコネクタによれば、携帯電話の充電電圧が上昇するにつれて段階別に変色する発光素子によって携帯電話の充電状態を便利に認識することができるという利点がある。
【００１２】
また、本発明のコネクタによれば、携帯電話の充電状態に応じて変わる発光素子を透視窓でカバーして発光素子の破損を防止することができるという利点がある。
【発明を実施するための最良の形態】
【００１３】
以下に添付図面を参照しながら、本発明の好適な実施形態について詳細に説明する。
【００１４】
図１〜図３に示すように、本発明のコネクタ１００のほぼ中央部には、充電によって携帯電話の電圧（正確には携帯電話のバッテリ電圧）が上昇するにつれて段階別に変色する発光素子１が構成される。この発光素子１は、一般に四角形をしており、上部蓋１３と下部蓋１４とが結合したコネクタ１００の内部に固定手段によって固定設置される。
【００１５】
前記発光素子１は、携帯電話の充電電圧が上昇するにつれて、その上昇する電圧が印加されるように、ピン１１によって携帯電話に電気的に連結されるプリント回路基板９上に取り付けられる。
【００１６】
前記発光素子１は、携帯電話の充電電圧が上昇するにつれて赤色、緑色に変色するように構成され、初期には黄色、充電時には赤色、最終的に充電が完了した時には緑色を呈する。
【００１７】
本発明のコネクタ１００は、携帯電話の連結端子２が本体から突出した形状に構成される。この端子２は、携帯電話の充電時に携帯電話に連結されることにより、アダプタを介して供給される直流電源を携帯電話へ供給させる役割、あるいは充電完了後に携帯電話から分離されることにより、アダプタを介して供給される直流電源を携帯電話に対して遮断させる役割を行う。
【００１８】
前記端子２は、その両側に一定の深さで設けられた溝３内の係止具４によって携帯電話に対して着脱可能である。前記係止具４は、使用者が手で調整（押す機能）できるように構成された調整部５と一体に形成される。
【００１９】
一方、本発明のコネクタは、図４に示すように、発光素子１の上方に位置した上部蓋１３の所定の部分（発光素子と対応する部分）を切断してホール１５成し、そのホール１５発光素子１の発光状態が確認できるように射出成形された透視窓１２を嵌め込んで超音波または熱融着によって固定した状態で、ボルト挿入孔７を両側に有する上、下部蓋１３、１４をボルト６で固定する。
【００２０】
このように構成された本発明の移動通信機の充電用コネクタは、コネクタ１００の使用の際に、アダプタとコネクタ１００との結合状態で使用者が調整部５を手で押して係止具４を溝３内に挿入させると、携帯電話の接続端子にコネクタ１００の端子２が結合する。このような状態で、アダプタを外部の商用交流電源端子に連結すると、外部電圧が所定の直流電圧に変換されてコネクタ１００に印加され、さらに携帯電話へ供給されることにより、携帯電話の充電がなされる。これにより、発光素子１も赤色または緑色に変色する。
【００２１】
このように変化する発光素子１の色は、透視窓１２を介して外部に放出されてユーザが確認することができる。
【００２２】
上述した本発明は、特定の例を挙げて説明したが、これに限定されないことは言うまでもない。また、本発明は、本発明の技術的思想の範疇内において、様々な修正及び変形実施が可能である。
【図面の簡単な説明】
【００２３】
【図１】本発明の実施形態に係る充電用コネクタの平面図である。
【図２】本発明の実施形態に係るコネクタの内部を示す平面図である。
【図３】本発明の実施形態に係るコネクタの背面図である。
【図４】本発明の実施形態に係るコネクタの側断面図である。
【符号の説明】
【００２４】
１  発光素子
２  携帯電話接続端子
３  溝
４  係止具
５  調整部
６  ボルト
７  ボルト挿入孔
９  プリント回路基板
１１  ピン
１２  透視窓
１３  上部蓋
１４  下部蓋
１００  充電用コネクタ
【図１】
2005536025.tif 000003
【図２】
2005536025.tif 000004
【図３】
2005536025.tif 000005
【図４】
2005536025.tif 000006
【国際調査報告】
2005536025.tif 000007